(57)【要約】【課題】適切な時期に画像形成装置の消耗品を配送できるようにする。【解決手段】消耗品管理システム１のプリンタ２は、予め使用日数ごとのトナー予測残量を算出すると共に配送日数ＤＬを設定させ、これらを基にトナー基準残量ＲＮを決定する。その上でプリンタ２は、印刷処理を行いトナー実績残量がトナー基準残量ＲＮ未満となった時点で、管理サーバ３に配送依頼を発行し、新たなトナーカートリッジＣを発送させる。このため消耗品管理システム１では、プリンタ２に装着されているトナーカートリッジＣ内のトナーを全て使用し終える前に次のトナーカートリッジＣを配送できるので、当該トナーカートリッジＣの保管期間を必要最小限に抑えながら、ダウンタイムの発生を回避できる。【選択図】図１０
2017037596.tif 000002
【特許請求の範囲】
【請求項１】
画像形成装置に設けられ、消耗品を使用して媒体に画像を形成する画像形成部と、
交換用の前記消耗品の配送を依頼してから前記画像形成装置の設置場所に到着するまでに要する配送期間を記憶する記憶部と、
前記消耗品の使用度合を検出する消耗品使用度合検出部と、
予測される前記消耗品の使用度合である予測使用度合と、前記配送期間と、前記消耗品使用度合検出部により検出された前記消耗品の使用度合である実績使用度合とに基づき、前記消耗品を使用し終える前に次の前記消耗品が到着するように配送を依頼する配送依頼部と、
前記配送依頼部により前記消耗品の配送が依頼された後に、前記画像形成部における前記消耗品の使用度合を制御する使用制御部と
を具えることを特徴とする消耗品管理システム。
【請求項２】
過去に得られた前記実績使用度合を基に前記予測使用度合を算出する予測使用度合算出部
をさらに具え、
前記配送依頼部は、前記予測使用度合算出部により算出された前記予測使用度合と、前記配送期間と、前記実績使用度合とに基づき、前記消耗品を使用し終える前に次の前記消耗品が到着するように配送を依頼する
ことを特徴とする請求項１に記載の消耗品管理システム。
【請求項３】
前記配送依頼部は、前記予測使用度合を基に前記消耗品を使用し終えると予測される予測使用終了時期を算出し、当該予測使用終了時期よりも前記配送期間だけ前の時点における前記予測使用度合を基準使用度合に設定し、上記実績使用度合が当該基準使用度合よりも小さくなった場合に、次の前記消耗品の配送を依頼する
ことを特徴とする請求項２に記載の消耗品管理システム。
【請求項４】
前記使用制御部は、次の前記消耗品が到着する前に現在の前記消耗品を使用し終えると判断した場合、前記画像形成部による前記消耗品の使用度合を低減させるよう制御する
ことを特徴とする請求項１に記載の消耗品管理システム。
【請求項５】
前記消耗品使用度合検出部により検出した使用度合を基に、所定の単位期間毎の使用度合を表す単位期間使用度合を算出する単位期間使用度合算出部
をさらに具え、
前記使用制御部は、前記配送依頼部により前記消耗品の配送が依頼された時点で予測されていた単位期間ごとの使用度合である予測単位期間使用度合よりも、前記単位期間使用度合算出部により実際に算出された実績単位期間使用度合が大きい場合、前記画像形成部における前記消耗品の使用度合を低減させるよう制御する
ことを特徴とする請求項４に記載の消耗品管理システム。
【請求項６】
前記消耗品は、前記媒体に付着されることにより前記画像を形成する付着体であり、
前記使用制御部は、前記予測単位期間使用度合よりも前記実績単位期間使用度合が大きい場合、前記画像形成部に対し、前記付着体の使用量を低減させたセーブモードで前記画像を形成させるよう制御する
ことを特徴とする請求項５に記載の消耗品管理システム。
【請求項７】
前記配送期間は、交換用の前記消耗品の配送を依頼してから到着するまでに実際に要する期間から延長又は短縮されている
ことを特徴とする請求項１に記載の消耗品管理システム。
【請求項８】
消耗品を使用して媒体に画像を形成する画像形成部と、
交換用の前記消耗品の配送を依頼してから到着するまでに要する配送期間を記憶する記憶部と、
前記消耗品の使用度合を検出する消耗品使用度合検出部と、
予測される前記消耗品の使用度合である予測使用度合と、前記配送期間と、前記消耗品使用度合検出部により検出された前記消耗品の使用度合である実績使用度合とに基づき、前記消耗品を使用し終える前に次の前記消耗品が到着するように配送を依頼する配送依頼部と、
前記配送依頼部により前記消耗品の配送が依頼された後に、前記画像形成部における前記消耗品の使用度合を制御する使用制御部と
を具えることを特徴とする画像形成装置。
【発明の詳細な説明】
【技術分野】
【０００１】
本発明は消耗品管理システム及び画像形成装置に関し、例えばプリンタの消耗品であるトナーカートリッジを管理する消耗品管理システムに適用して好適なものである。
【背景技術】
【０００２】
従来、プリンタにおいて、例えばトナーの残量が所定の閾値を下回ったことを所定のセンサにより検出した場合に、間もなくトナーが枯渇すること、すなわちトナーカートリッジの交換が必要となることをユーザに通知するものが提案されている（例えば、特許文献１参照）。
【先行技術文献】
【特許文献】
【０００３】
【特許文献１】特開２０１３−４１１９３号公報（第２図）
【発明の概要】
【発明が解決しようとする課題】
【０００４】
ところで近年では、プリンタの消耗品（トナーカートリッジ等）を管理する消耗品管理システムが構築されることがある。この消耗品管理システムは、消耗品を管理する消耗品管理センタに管理サーバを配置し、ユーザの職場や自宅等に設置されているプリンタと当該管理サーバ等をインターネット等のネットワークにより接続した構成となっている。
【０００５】
プリンタは、トナーの残量が閾値を下回ったことを検出した場合、このことをネットワーク経由で管理サーバに通知する。これに応じて管理サーバは、消耗品管理センタや所定の倉庫から、ユーザの職場や自宅等に宛ててトナーカートリッジを配送させる。これによりユーザは、新たなトナーカートリッジを入手することができる。
【０００６】
しかしながら、プリンタにおけるトナーの消費速度、すなわち単位期間あたりに印刷処理を行う頻度や印刷内容等は、ユーザにより異なる。例えばトナーの消費速度が高いユーザにとっては、できるだけ早いタイミングでトナーカートリッジが配送されることが望ましい。一方、トナーの消費速度が低いユーザにとっては、早いタイミングでトナーカートリッジが配送された場合、これを長期間に渡って保管する必要が生じてしまう。さらには、ユーザによっては、トナーの消費速度が変動する場合もある。
【０００７】
このように従来の消耗品管理システムでは、ユーザごとにトナーの消費速度が異なる場合、或いはトナーの消費速度が変動する場合等に、適切な時期にトナーを配送することが困難である、という問題があった。
【０００８】
本発明は以上の点を考慮してなされたもので、適切な時期に画像形成装置の消耗品を配送し得る消耗品管理システム及び画像形成装置を提案しようとするものである。
【課題を解決するための手段】
【０００９】
かかる課題を解決するため本発明の消耗品管理システムにおいては、画像形成装置に設けられ、消耗品を使用して媒体に画像を形成する画像形成部と、交換用の消耗品の配送を依頼してから画像形成装置の設置場所に到着するまでに要する配送期間を記憶する記憶部と、消耗品の使用度合を検出する消耗品使用度合検出部と、予測される消耗品の使用度合である予測使用度合と、配送期間と、消耗品使用度合検出部により検出された消耗品の使用度合である実績使用度合とに基づき、消耗品を使用し終える前に次の消耗品が到着するように配送を依頼する配送依頼部と、配送依頼部により消耗品の配送が依頼された後に、画像形成部における消耗品の使用度合を制御する使用制御部とを設けるようにした。
【００１０】
また本発明の画像形成装置においては、消耗品を使用して媒体に画像を形成する画像形成部と、交換用の前記消耗品の配送を依頼してから到着するまでに要する配送期間を記憶する記憶部と、前記消耗品の使用度合を検出する消耗品使用度合検出部と、予測される前記消耗品の使用度合である予測使用度合と、前記配送期間と、前記消耗品使用度合検出部により検出された前記消耗品の使用度合である実績使用度合とに基づき、前記消耗品を使用し終える前に次の前記消耗品が到着するように配送を依頼する配送依頼部と、前記配送依頼部により前記消耗品の配送が依頼された後に、前記画像形成部における前記消耗品の使用度合を制御する使用制御部とを設けるようにした。
【００１１】
本発明では、予測使用度合を用いることで、配送期間内に必要となる消耗度合を算出でき、この消耗度合を踏まえ実績使用度合を用いて配送を依頼することにより、消耗品を使用し終える前に次の消耗品を到着させることができる。また本発明では、配送の依頼後に消耗品の使用度合が急激に高まった場合には、画像形成部における当該消耗品の使用度合を抑制することにより、次の消耗品が到着するまで、現在の消耗品の継続した使用を図ることができる。
【発明の効果】
【００１２】
本発明によれば、適切な時期に画像形成装置の消耗品を配送し得る消耗品管理システム及び画像形成装置を実現できる。
【図面の簡単な説明】
【００１３】
【図１】消耗品管理システムの全体構成を示す略線図である。
【図２】プリンタの構成を示す略線的ブロック図である。
【図３】管理サーバの構成を示す略線的ブロック図である。
【図４】プリンタの機能構成を示す略線的ブロック図である。
【図５】消耗品使用予測表を示す略線図である。
【図６】消耗品使用実績表を示す略線図である。
【図７】記憶部の記憶内容を示す略線図である。
【図８】初期設定処理手順を示すフローチャートである。
【図９】印刷処理手順を示すフローチャートである。
【図１０】使用日数とトナー予測残量との関係を示す略線図である。
【図１１】使用日数とトナー実績残量との関係を示す略線図である。
【図１２】トナー交換処理手順を示す略線図である。
【発明を実施するための形態】
【００１４】
以下、発明を実施するための形態（以下実施の形態とする）について、図面を用いて説明する。
【００１５】
［１．消耗品管理システムの全体構成］
図１に示すように、本実施の形態による消耗品管理システム１は、プリンタ２及び管理サーバ３がインターネット４を介して互いに接続された構成となっている。プリンタ２は、ユーザの職場や自宅等である設置場所Ｌ１に設置されている。管理サーバ３は、設置場所Ｌ１から離れた管理センタＭ１に設けられている。
【００１６】
プリンタ２は、いわゆるＭＦＰ（Multi Function Peripheral）となっており、媒体としての用紙に画像を形成する（すなわち印刷する）プリンタ機能の他、画像を読み取るイメージスキャナとしての機能や通信機能を有しており、これらの組み合わせによりプリンタ、複写機（コピー機）及びファクシミリ装置等として動作することができる。図２に示すように、プリンタ２は、その内部において、制御部１１、記憶部１２、通信部１３、表示操作部１４及び画像形成部１５がバス１０を介して相互に接続されている。制御部１１は、プリンタ２の全体を統括的に制御している。
【００１７】
制御部１１は、図示しないＣＰＵ（Central Processing Unit）を中心に構成されており、記憶部１２から所定のプログラムを読み出して実行することにより、印刷処理等の種々の処理を行う。記憶部１２は、ＲＯＭ（Read Only Memory）、ＲＡＭ（Random Access Memory）、フラッシュメモリやハードディスクドライブ等でなり、印刷処理等の種々の処理に必要な各種設定値等、種々の情報を記憶し、また各種プログラムのワークエリアとしても機能する。
【００１８】
通信部１３は、例えばＩＥＥＥ(Institute of Electrical and Electronics Engineers)８０２．３ｕ／ａｂ等の規格に準拠した有線ＬＡＮ（Local Area Network）又はＩＥＥＥ８０２．１１ａ／ｂ／ｇ／ｎ／ａｃ等の規格に準拠した無線ＬＡＮにより、インターネット４と接続されている。この通信部１３は、所定の変調処理や復調処理等を行いながら、制御部１１から供給された種々の情報やデータをインターネット４との間で種々の情報を送信又は受信する。また通信部１３は、図示しないコンピュータ装置とも接続されており、画像データやその印刷指示等を受信して制御部１１へ供給する。
【００１９】
表示操作部１４は、図示しないタッチパネル及び物理キーの組み合わせにより構成されている。このうちタッチパネルは、各種情報や操作入力用の画面を表示するＬＣＤ（Liquid Crystal Display）と、ユーザによる操作指示等を入力するタッチセンサとが一体化されている。また物理キーは、プリンタ２の動作モード（コピー、ファクシミリ、プリンタ等）を切り替えるモード切替キーや数字キー、及び方向キーや決定キー等により構成されている。
【００２０】
画像形成部１５は、図示しない露光装置や定着装置及び用紙の搬送機構等を有しており、さらに当該露光装置に対し、消耗品であるトナーを供給するトナーカートリッジＣを着脱し得るようになっている。因みにプリンタ２は、いわゆるモノクロプリンタであり、画像形成部１５に１色分のトナーカートリッジＣのみを装着するようになっている。また交換用のトナーカートリッジＣは、管理センタＭ１（図１）に保管されている。
【００２１】
この画像形成部１５は、媒体としての用紙を搬送すると共に、制御部１１から供給される画像データに基づき露光装置によってトナーによる像を形成し、このトナーの像を用紙に転写して定着させることにより印刷を行う。また画像形成部１５は、制御部１１の制御に基づいて印刷モードを切り替えることにより、通常モード又はトナーセーブモードに切り替え得るようになっている。このトナーセーブモードとは、本来よりもトナーの使用量を低減させた印刷モードであり、用紙に印字される文字や画像の濃度が低減されて画質や視認性を低下させるものの、トナーカートリッジＣの交換までの期間を延長させ得る。タグ読取部１６は、画像形成部１５に装着されているトナーカートリッジＣに付された一意のタグを読み取り、これを制御部１１へ通知するようになっている。
【００２２】
図３に示すように、管理サーバ３は、制御部２１、記憶部２２、通信部２３及びトナー配送部２４が相互に接続された構成となっている。制御部２１は、プリンタ２の制御部１１と同様、図示しないＣＰＵを中心に構成され、記憶部２２から所定のプログラムを読み出して実行することにより、種々の処理を行う。記憶部２２は、プリンタ２の記憶部１２と同様、ＲＯＭ、ＲＡＭ、フラッシュメモリやハードディスクドライブ等でなり、種々の処理に必要な各種情報を記憶し、また各種プログラムのワークエリアとしても機能する。この記憶部２２には、プリンタ２の製造番号や設置場所Ｌ１の住所等、プリンタ２に関する種々の情報も記憶されている。
【００２３】
通信部２３は、プリンタ２の通信部１３と同様、各種規格に準拠した有線ＬＡＮ又は無線ＬＡＮによりインターネット４と接続されている。トナー配送部２４は、所定の配送業者（図示せず）等との間で、トナーカートリッジＣ（図１）の配送手続を行う。ここで配送手続が行われたトナーカートリッジＣは、配送業者により、所定の配送期間をかけて、管理センタＭ１から設置場所Ｌ１（図１）へ配送される。因みに設置場所Ｌ１からは、使用済みのトナーカートリッジＣが管理センタＭ１へ返送される。
【００２４】
このように消耗品管理システム１は、プリンタ２と管理サーバ３との間で情報を授受しながら、当該プリンタ２の消耗品であるトナーカートリッジＣを、管理センタＭ１から設置場所Ｌ１へ配送するようになっている。
【００２５】
［２．プリンタの機能構成］
次に、プリンタ２の機能構成について説明する。プリンタ２の記憶部１２は、図４に示すように、消耗品使用予測記憶部４１、消耗品使用実績記憶部４２、配送日数記憶部４３、配送状況管理部４４及びセーブモード設定記憶部４５をそれぞれ有している。
【００２６】
消耗品使用予測記憶部４１は、図５に示すような消耗品使用予測表Ｔ１を記憶している。消耗品使用予測表Ｔ１には、「使用日数」、「トナー容量」、「トナー予測使用量」及び「トナー予測残量」といった項目が設けられている。「使用日数」欄は、トナーカートリッジＣの交換後における経過日数を表しており、値「１」から「１０」まで、順に１ずつ増加した値が格納されている。「トナー容量」欄は、トナーカートリッジＣ内に収容されているトナーの全容量を表しており、全ての使用日数において一定の量を表す一定の値「１０００」が格納されている。因みにトナーの量を表す各数値は、例えば値「１」が約０．１［ｇ］のトナーに相当している。
【００２７】
「トナー予測使用量」欄は、トナーカートリッジＣの交換後からの、使用日数ごとの予測されたトナーの使用量（すなわち消費量）を累積値により表している。この「トナー予測使用量」欄は、使用日数が「１」の場合に値「１００」が格納され、使用日数ごとに値「１００」ずつ増加した値が順次格納されており、使用日数が「１０」の場合に値「１０００」が格納されている。すなわち消耗品使用予測表Ｔ１は、トナーカートリッジＣの交換後に、１日ごとにトナーが値「１００」ずつ使用されると予測されていることを表している。「トナー予測残量」欄は、各使用日数における、トナーの予測された残量がトナー予測残量として格納されている。このトナー予測残量は、トナー容量からトナー予測使用量が減算された値である。トナー予測使用量及びトナー予測残量は、何れも消耗品であるトナーの使用度合を予測した値となっている。
【００２８】
消耗品使用実績記憶部４２（図４）は、例えば図６に示す消耗品使用実績表Ｔ２を記憶している。消耗品使用実績表Ｔ２には、消耗品使用予測表Ｔ１（図５）と同様の「使用日数」及び「トナー容量」の他、「トナー予測使用量」及び「トナー予測残量」にそれぞれ代わる「トナー実績使用量」及び「トナー実績残量」の各欄が設けられている。このうち「使用日数」及び「トナー容量」については、消耗品使用予測表Ｔ１と同様の値がそれぞれ格納される。
【００２９】
「トナー実績使用量」欄は、トナーカートリッジＣの交換後からの、使用日数ごとの実際のトナーの使用量（すなわち消費量）を累積値により表している。「トナー実績残量」欄は、各使用日数における、トナーの実際の残量がトナー実績残量として格納されている。このトナー実績残量は、トナー容量からトナー実績使用量が減算された値である。トナー実績使用量及びトナー実績残量は、何れも消耗品であるトナーの実際の使用度合を表す値となっている。
【００３０】
配送日数記憶部４３（図４）は、管理センタＭ１（図１）から設置場所Ｌ１までトナーカートリッジＣを配送するのに要する期間を日数により表した配送日数が格納されている。この配送日数記憶部４３には、図７（Ａ）に示すように、事前に配送業者から通知された日数（例えば「２日」）が格納される。
【００３１】
配送状況管理部４４（図４）は、トナーカートリッジＣの配送状況及び交換状況が記憶される。この配送状況管理部４４には、図７（Ｂ）に示すように、「配送依頼済み」又は「交換済み」の何れかが格納される。このうち「配送依頼済み」は、プリンタ２から管理サーバ３に対しトナーカートリッジＣの配送が依頼されたことを表している。また「交換済み」は、プリンタ２においてトナーカートリッジＣが交換されたことを表している。
【００３２】
セーブモード設定記憶部４５（図４）は、画像形成部１５（図２）における印刷モードが通常モード又はトナーセーブモードの何れであるかを記憶する。このセーブモード設定記憶部４５には、図７（Ｃ）に示すように、印刷モードが通常モードであること、すなわちトナーセーブモードがオフであることを表す「ＯＦＦ」、又は印刷モードがトナーセーブモードであること、すなわちトナーセーブモードがオンであることを表す「ＯＮ」が格納される。
【００３３】
タグ記憶部４６は、画像形成部１５のタグ読取部１６（図２）によりトナーカートリッジＣから読み取られたタグを記憶する。因みにタグ記憶部４６は、最後に読み取られたタグに加えて、過去に読み取られたタグも順次蓄積していく。
【００３４】
一方、制御部１１（図２）は、記憶部１２から印刷プログラム等の各種プログラムを読み出して実行することにより、図４に示した複数の機能ブロックを形成するようになっている。具体的に制御部１１は、消耗品使用予測表算出部３１、消耗品使用量算出部３２、配送依頼部３３、セーブモード設定判断部３４、消耗品交換検出部３５及び時刻管理部３６をそれぞれ形成する。
【００３５】
消耗品使用予測表算出部３１は、トナーカートリッジＣの交換後における使用日数ごとのトナー予測使用量を算出し、消耗品使用予測記憶部４１に記憶される消耗品使用予測表Ｔ１（図５）にそれぞれ格納する。このとき消耗品使用予測表算出部３１は、トナー予測残量についても計算し、それぞれ格納する。消耗品使用度合検出部としての消耗品使用量算出部３２は、画像形成部１５へ供給した画像データの内容を基に、印刷処理において用紙に転写された、すなわち使用されたトナーの量であるトナー使用量を算出する。
【００３６】
配送依頼部３３は、後述する処理手順に従い、トナーカートリッジＣの配送を指示するか否かを判断し、必要な場合には管理サーバ３（図１）に対し当該トナーカートリッジＣの配送を依頼する。使用制御部としてのセーブモード設定判断部３４は、後述する処理手順に従い、印刷モードをトナーセーブモードに切り替えるか否かを判断し、必要に応じて画像形成部１５（図２）をトナーセーブモードに設定させる。消耗品交換検出部３５は、消耗品であるトナーカートリッジＣに付されたタグを基に、当該トナーカートリッジＣが交換されたか否かを検知する。時刻管理部３６は、時計機能を有しており、現在の日付及び時刻を取得できる他、例えば直近のトナー交換時のような所定の基準日時からの経過日数及び経過時間を算出する。
【００３７】
［３．プリンタの処理手順］
次に、プリンタ２が初期設定処理、印刷処理及びトナー交換処理といった各処理を行う場合の処理手順について、図８、図９及び図１０のフローチャートを用いてそれぞれ説明する。
【００３８】
［３−１．初期設定処理］
まず、ユーザによりプリンタ２が購入され、設置場所Ｌ１に初めて設置される場合に行われる初期設定処理について説明する。プリンタ２の制御部１１は、最初に電源が投入されると、記憶部１２から初期設定プログラムを読み出して実行することにより、図８に示す初期設定処理手順ＲＴ１を開始してステップＳＰ１へ移る。ここでプリンタ２は、ユーザの作業により、画像形成部１５に新たなトナーカートリッジＣが装着されているものとする。
【００３９】
ステップＳＰ１において制御部１１は、画像形成部１５のタグ読取部１６によってトナーカートリッジＣのタグを読み取らせ、その内容を取得することにより、トナーカートリッジＣが正しく装着されたことを検出して、次のステップＳＰ２へ移る。このとき制御部１１は、現在装着されているトナーカートリッジＣのタグを記憶部１２のタグ記憶部４６（図４）に記憶させておく。
【００４０】
ステップＳＰ２において制御部１１は、記憶部１２の配送状況管理部４４（図４、図７（Ｂ））に「交換済み」を設定することにより、この時点ではトナーの配送を指示していないことを記憶させ、次のステップＳＰ３へ移る。ステップＳＰ３において制御部１１は、記憶部１２のセーブモード設定記憶部４５（図４、図７（Ｃ））に「ＯＦＦ」を設定することにより、通常モードであることを記憶させ、次のステップＳＰ４へ移る。これによりプリンタ２は、仮に製造時の動作試験等においてトナーセーブモードに設定されていたとしても、通常モードに設定されることになる。
【００４１】
ステップＳＰ４において制御部１１は、記憶部１２の消耗品使用予測記憶部４１（図４）に記憶されている消耗品使用予測表Ｔ１（図５）に初期値を設定し、次のステップＳＰ５へ移る。このとき制御部１１は、消耗品使用予測表Ｔ１における各使用日数の「トナー予測使用量」欄に、事前の調査等により得られた一般的なユーザのトナー使用量として、例えば１日あたり「１００」が設定される。
【００４２】
ステップＳＰ５において制御部１１は、記憶部１２の配送日数記憶部４３（図４、図７（Ａ））に配送日数を設定する。このとき制御部１１は、例えば管理センタＭ１から設置場所Ｌ１へトナーカートリッジＣを配送するときに要する日数を、ユーザにより事前に調査させた上で、表示操作部１４（図２）を介して入力させる。その後制御部１１は、次のステップＳＰ６へ移って初期設定処理手順ＲＴ１を終了する。
【００４３】
［３−２．印刷処理］
次に、プリンタ２により行われる印刷処理について説明する。この場合、プリンタ２は、通信部１３を介して接続されたコンピュータ装置（図示せず）から、画像データ及びその印刷指示が含まれる印刷ジョブを取得したものとする。
【００４４】
プリンタ２の制御部１１は、この印刷ジョブを取得すると、記憶部１２から印刷処理プログラムを読み出して実行することにより、図９に示す印刷処理手順ＲＴ２を開始してステップＳＰ１１へ移る。ステップＳＰ１１において制御部１１は、印刷ジョブに含まれる画像データを画像形成部１５へ供給すると共に当該画像形成部１５を制御することにより、この印刷ジョブに基づいた画像を用紙に印刷させ、次のステップＳＰ１２へ移る。このとき制御部１１は、消耗品使用量算出部３２により、画像データを基にトナー使用量を算出する。
【００４５】
ステップＳＰ１２において制御部１１は、この印刷ジョブにおいて使用したトナーの量を記憶部１２に記憶させ、次のステップＳＰ１３へ移る。具体的に制御部１１は、時刻管理部３６により直近のトナー交換からの経過日数（すなわち使用日数）を取得した上で、消耗品使用実績記憶部４２（図４）に記憶している消耗品使用実績表Ｔ２（図６）における、使用日数と対応するトナー実績使用量の欄に、ステップＳＰ１におけるトナー使用量を加算して更新する。これと共に制御部１１は、消耗品使用実績表Ｔ２（図６）における、使用日数と対応するトナー実績残量の欄を、更新後のトナー使用量をトナー容量から減算した値に更新する。
【００４６】
ステップＳＰ１３において制御部１１は、更新後のトナー実績残量をトナー基準残量と比較し、次のステップＳＰ１４へ移る。ここでトナー基準残量とは、トナーカートリッジＣの配送を依頼するか否かの判断基準となるトナー残量であり、トナーが使用されると予測される度合と、トナーカートリッジＣの配送に要する日数とを基に決定される値である。このうちトナーが使用されると予測される度合は、消耗品使用予測表Ｔ１（図５）における使用日数ごとのトナー予測使用量（累積値）又はトナー予測残量である。またトナーカートリッジＣの配送に要する日数は、記憶部１２の配送日数記憶部４３に記憶している配送日数ＤＬ（図６（Ｂ））である。
【００４７】
具体的に制御部１１は、まず消耗品使用予測表Ｔ１（図５）においてトナー予測残量が値「０」となる使用日数（以下これを予測使用終了日ＤＥと呼ぶ、例えば１０日目）を確認する。次に制御部１１は、予測使用終了日ＤＥから配送日数ＤＬ（例えば２日）を減算した使用日数（以下これを配送依頼予測日ＤＱ１と呼ぶ、例えば８日目）を算出する。さらに制御部１１は、消耗品使用予測表Ｔ１（図５）を参照することにより、配送依頼予測日（例えば８日目）におけるトナー予測残量（例えば値「２００」）をトナー基準残量ＲＮとして決定する。制御部１１は、このように決定したトナー基準残量ＲＮを、その時点における実際のトナー残量、すなわちトナー実績残量（図６）と比較する。
【００４８】
ここで、使用日数Ｄとトナー残量Ｒとの関係をグラフ化すると、図１０のように表すことができる。すなわち図１０では、まず消耗品使用予測表Ｔ１（図５）におけるトナー予測残量を基に、トナー予測残量特性Ｓ１が表される。本実施の形態の場合、予測されるトナー使用量は１日あたり値「１００」で一定であるため、図１０においてトナー予測残量特性Ｓ１は、一定の負の傾きを有する直線状となる。この図１０において、トナー予測残量特性Ｓ１と横軸との交点が予測使用終了日ＤＥ１を表し、ここから配送日数ＤＬだけ少ない使用日数が配送依頼予測日ＤＱ１となる。さらに、図１０において、トナー予測残量特性Ｓ１上で配送依頼予測日ＤＱ１となるときのトナー残量が、トナー基準残量ＲＮとなる。
【００４９】
ステップＳＰ１４において制御部１１は、配送依頼の発行が必要か否かを判断する。具体的に制御部１１は、記憶部１２の配送状況管理部４４（図４、図７（Ｂ））に「交換済み」が設定されており、且つ配送依頼部３３（図４）により、ステップＳＰ１３における比較処理の結果として、この時点におけるトナー実績残量がトナー基準残量ＲＮ未満であるか否かを判定する。ここで否定結果が得られると、このことは、トナーカートリッジＣに十分な量の、すなわち配送日数ＤＬの間では使用しきれない量のトナーが残っており、この時点では配送依頼を発行する必要が無いこと、或いはトナー残量が比較的少ないものの、既に配送依頼を発行しているために再度発行する必要が無いことを表している。このとき制御部１１は、次のステップＳＰ１６へ移る。
【００５０】
一方、ステップＳＰ１４において肯定結果が得られると、このことは、トナーカートリッジＣに残っているトナーの残量が比較的少なく、この時点から配送日数ＤＬが経過する日、若しくはその前にトナーを使用し終えると予測されることを表している。このとき制御部１１は、次のステップＳＰ１５へ移る。
【００５１】
ステップＳＰ１５において制御部１１は、通信部１３（図２）によりインターネット４（図１）を介して管理サーバ３へトナーカートリッジＣの配送依頼を発行する。これに応じて管理サーバ３（図３）は、記憶部２２に記憶している設置場所Ｌ１の住所等を読み出した上で、トナー配送部２４によりトナーカートリッジＣを当該設置場所Ｌ１へ向けて発送する。また制御部１１は、ステップＳＰ１５において、記憶部１２の配送状況管理部４４（図４、図７（Ｂ））に「配送依頼済み」を設定して、次のステップＳＰ１６へ移る。因みに制御部１１は、トナーカートリッジＣの配送依頼を発行した日を配送依頼発行日ＤＱ２として記憶部１２に記憶させる。この配送依頼発行日ＤＱ２は、トナーカートリッジＣの交換後におけるトナーの使用量に応じて変化し、配送依頼予測日ＤＱ１と一致する場合もあり、また相違する場合もある。
【００５２】
ステップＳＰ１６において制御部１１は、記憶部１２の配送状況管理部４４（図４、図７（Ｂ））に「配送依頼済み」が設定されているか否かを判定する。ここで肯定結果が得られると、このことはトナー実績残量が既にトナー基準残量ＲＮよりも少なくなっており、且つトナーカートリッジＣの配送依頼が既に発行されていることを表している。このとき制御部１１は、次のステップＳＰ１７へ移る。
【００５３】
ステップＳＰ１７において制御部１１は、セーブモード設定判断部３４（図４）により、印刷モードが通常モードであり、且つトナーセーブモードへの切り替えが必要か否かを判断する。具体的に制御部１１は、記憶部１２のセーブモード設定記憶部４５（図４、図７（Ｃ））が「ＯＦＦ」であるか否かを判定する。さらに制御部１１は、配送依頼発行日ＤＱ２以降における、トナーの１日あたりの使用量（以下これをトナー実績使用速度Ｖ２と呼ぶ）を算出し、これが消耗品使用予測表Ｔ１（図５）における１日あたりのトナー使用量（以下これをトナー予測使用速度Ｖ１と呼ぶ）を越えているか否かを判定する。
【００５４】
ここでトナー予測使用速度Ｖ１は、図１０のグラフにおいて、トナー予測残量特性Ｓ１における負の傾きの大きさを表すことになる。一方、トナー実績使用速度Ｖ２は、例えば図１０と対応する図１１において、トナー実績残量をトナー実績残量特性Ｓ２として表した場合に、このトナー実績残量特性Ｓ２における負の傾きの大きさを表すことになる。因みにこの図１１では、配送依頼発行日ＤＱ２から配送日数ＤＬが経過した到着予定日ＤＡに、次のトナーカートリッジＣが設置場所Ｌ１に到着する予定であることが示されている。
【００５５】
このステップＳＰ１７において肯定結果が得られると、このことは、１日あたりのトナー使用量が予測よりも多いために、配送依頼発行日ＤＱ２から配送日数ＤＬが経過する前に、すなわち次のトナーカートリッジＣの到着予定日ＤＡよりも前に、現在のトナーカートリッジＣのトナーを使用し終える予測使用終了日ＤＥ２となることを意味する。これは、図１１において、配送依頼発行日ＤＱ２以降の範囲でトナー実績残量特性Ｓ２の負の傾きであるトナー実績使用速度Ｖ２がトナー予測使用速度Ｖ１よりも大きく、当該トナー実績残量特性Ｓ２が到着予定日ＤＡよりも左側で横軸と交差することにより表されている。この場合、プリンタ２では、画像形成部１５（図２）において印刷処理を実行できない期間、いわゆるダウンタイムが発生する可能性があることを表している。
【００５６】
このとき制御部１１は、次のステップＳＰ１８へ移り、画像形成部１５における印刷モードをトナーセーブモードに設定し、記憶部１２のセーブモード設定記憶部４５（図４、図７（Ｃ））を「ＯＮ」に設定して、次のステップＳＰ１９へ移る。このことは、図１１において、配送依頼発行日ＤＱ２以降の範囲で、トナー実績使用速度Ｖ２よりも小さいトナーセーブ使用速度Ｖ３に切り替え、トナー実績残量特性Ｓ２からトナーセーブ残量特性Ｓ３に移行させることを意味している。
【００５７】
これにより図１１では、トナーセーブモードで現在のトナーカートリッジＣのトナーを使用し終える予測使用終了日ＤＥ３が、到着予定日ＤＡよりも後となり、ダウンタイムの発生を回避できることが示されている。このとき制御部１１は、表示操作部１４（図２）に所定の確認メッセージを表示することにより、ユーザに対しトナーセーブモードへの切替についての許可を求め、許可が得られた場合にのみ、トナーセーブモードに切り替えるようになっている。
【００５８】
一方、ステップＳＰ１７において否定結果が得られると、このことは、既にトナーセーブモードに切り替えられているか、或いはトナー実績使用速度Ｖ２がトナー予測使用速度Ｖ１よりも小さく、次のトナーカートリッジＣの到着予定日ＤＡよりも後まで、現在のトナーカートリッジＣのトナーが残っていると予測されることを表している。このとき制御部１１は、トナーセーブモードに切り替える必要が無いと判断し、次のステップＳＰ１９へ移る。
【００５９】
また、ステップＳＰ１６において否定結果が得られると、このことはトナーの配送依頼が未だ発行されていないことから、トナーの残量が十分であり、トナーセーブモードに切り替える必要が無いことを表している。このとき制御部１１は、次のステップＳＰ１９へ移る。ステップＳＰ１９において制御部１１は、印刷処理手順ＲＴ２を終了する。
【００６０】
［３−３．トナー交換処理］
次に、プリンタ２においてトナーカートリッジＣが交換されたときに行われるトナー交換処理について説明する。ここでプリンタ２は、電源が切断された状態で、ユーザの作業により、画像形成部１５に装着されていたトナーカートリッジＣが取り外され、さらに管理センタＭ１から配送されてきた新たなトナーカートリッジＣが画像形成部１５に装着されたものとする。
【００６１】
プリンタ２の制御部１１は、電源が投入されると、記憶部１２からトナー交換プログラムを読み出して実行することにより、トナー交換処理手順ＲＴ３を開始してステップＳＰ２１へ移る。ステップＳＰ２１において制御部１１は、消耗品交換検出部３５（図４）によりトナーの交換を検出したか否かを判定し、次のステップＳＰ２２へ移る。
【００６２】
具体的に消耗品交換検出部３５は、まず画像形成部１５のタグ読取部１６により、この時点で装着されているトナーカートリッジＣのタグ（以下これを現装着タグと呼ぶ）を読み出す。続いて消耗品交換検出部３５は、記憶部１２のタグ記憶部４６（図４）に記憶している全てのタグと現装着タグとを順次比較する。ここで消耗品交換検出部３５は、タグ記憶部４６に記憶している何れかのタグと現装着タグとが一致した場合、トナーカートリッジＣが交換されていないと判断する。また消耗品交換検出部３５は、タグ記憶部４６に記憶している全てのタグと現装着タグとが一致しなかった場合、トナーカートリッジＣが交換されたと判断する。
【００６３】
ステップＳＰ２２において制御部１１は、記憶部１２の配送状況管理部４４に「交換済み」を設定し、次のステップＳＰ２３へ移る。これにより制御部１１は、現在のトナーカートリッジＣのトナー残量が減少してきたときに、適切に配送依頼を発行することができる。
【００６４】
ステップＳＰ２３において制御部１１は、通信部１３（図２）によりインターネット４（図１）を介して管理サーバ３に対しトナーカートリッジＣの交換作業が完了したことを通知し、次のステップＳＰ２４へ移る。これにより管理サーバ３は、発送したトナーカートリッジＣが設置場所Ｌ１に無事に到着し、且つユーザにより正しく交換作業が行われたことを認識できる。
【００６５】
ステップＳＰ２４において制御部１１は、セーブモード設定判断部３４により記憶部１２のセーブモード設定記憶部４５（図４）を参照し、トナーセーブモードの設定状態が「ＯＮ」であった場合にはこれを「ＯＦＦ」に設定して、次のステップＳＰ２５へ移る。これにより画像形成部１５は、以降の印刷処理において、通常モードで高品質な画像を印刷できる。
【００６６】
ステップＳＰ２５において制御部１１は、記憶部１２の消耗品使用予測記憶部４１（図４）に記憶している消耗品使用予測表Ｔ１（図５）の「トナー予測使用量」及び「トナー予測残量」をそれぞれ更新し、次のステップＳＰ２６へ移る。具体的に制御部１１は、消耗品使用予測表算出部３１（図４）により、消耗品使用実績表Ｔ２（図６）に格納されている使用日数ごとのトナー実績使用量を用いて、新たな使用日数ごとのトナー予測使用量を算出し、またこれに応じたトナー予測残量をそれぞれ算出して、消耗品使用予測表Ｔ１にそれぞれ格納する。
【００６７】
この場合、新たな使用日数ごとのトナー予測使用量は、例えば直前の消耗品使用実績表Ｔ２における使用日数ごとのトナー実績使用量をそのまま用いても良く、或いは過去のトナー使用量の１日あたりの平均値を算出し、これを用いて使用日数ごとのトナー予測使用量をそれぞれ算出しても良い。
【００６８】
一方、ステップＳＰ２１において否定結果が得られた場合、このことはトナーカートリッジＣが交換されていないために、ステップＳＰ２２〜ＳＰ２５の処理を行う必要が無いことを表している。このとき制御部１１は、次のステップＳＰ２６へ移る。ステップＳＰ２６において制御部１１は、トナー交換処理手順ＲＴ３を終了する。
【００６９】
［４．効果等］
以上の構成において、消耗品管理システム１のプリンタ２は、予め使用日数ごとのトナー予測使用量及びトナー予測残量をそれぞれ算出して消耗品使用予測表Ｔ１（図５）に格納する。またプリンタ２は、使用日数ごとのトナー予測残量及び配送日数ＤＬを基に、トナー基準残量ＲＮを決定する（図１０）。その上でプリンタ２は、印刷処理を行う度に、トナー実績残量（図６）とトナー基準残量ＲＮとを比較し、トナー実績残量がトナー基準残量ＲＮ未満となった時点で、管理サーバ３に対しトナーカートリッジＣの配送依頼を発行し、新たなトナーカートリッジＣを発送させる。
【００７０】
このためプリンタ２は、装着されているトナーカートリッジＣ内のトナーを全て使用し終える前に、次のトナーカートリッジＣを配送させることができる。これによりプリンタ２は、使用中のトナーカートリッジＣ内のトナーを使用し終えたときに次のトナーカートリッジＣが未到着であることによるダウンタイムの発生を回避できる。
【００７１】
特にプリンタ２は、トナーカートリッジＣの配送依頼を発行するか否かを、トナー実績残量とトナー基準残量ＲＮとの比較結果を基に判断している。一般に、プリンタにおいては、上述した特許文献１のように、装着されるトナーカートリッジ内のトナー残量が所定量未満となったことセンサ等により検出することができる。しかしながらこのセンサ等では、トナーの残量が所定量未満であるか否かのみを検出するに過ぎず、トナー残量を数値等により検出することはできなかった。
【００７２】
これに対して本実施の形態によるプリンタ２は、各印刷処理における画像データの内容を基にトナー使用量を計算により算出するため、トナー実績使用量及びトナー実績残量を数値によりきめ細かく表すことができる。またプリンタ２は、トナー基準残量ＲＮを固定値とするのでは無く、使用日数ごとのトナー予測残量及び配送日数ＤＬに応じて決定するようにした（図１０）。このためプリンタ２は、ユーザの使用日数ごとのトナーを使用する度合（使用量又は使用速度）と、管理センタＭ１から設置場所Ｌ１までの距離等に応じて異なる配送日数ＤＬとに応じて、ユーザに最適なトナー基準残量ＲＮを決定することができる。
【００７３】
この結果、プリンタ２は、きめ細かく算出されるトナー実績残量と、ユーザにとって最適に決定されたトナー基準残量ＲＮとを比較することにより、ユーザに最も適したタイミングで、次に使用するトナーカートリッジＣを配送させることができる。これによりユーザは、プリンタ２にダウンタイムを発生させること無く、またトナーカートリッジＣを２個以上保管する必要も無く、さらには自らトナーカートリッジＣの配送を依頼する必要も無く、自動的に配送されてくるトナーカートリッジＣを必要最小限の期間だけ保管するだけで、当該プリンタ２を円滑に使用することができる。
【００７４】
またプリンタ２は、トナーカートリッジＣを交換するトナー交換処理（図１２）において、消耗品使用予測表Ｔ１（図５）の「トナー予測使用量」及び「トナー予測残量」をそれぞれ更新するようにした。このためプリンタ２は、トナーカートリッジＣが交換される度に、ユーザの使い方、すなわち過去におけるトナー実績残量の減少の様子に合わせて、トナー基準残量ＲＮの精度を高めていくことができる。
【００７５】
さらにプリンタ２は、トナーカートリッジＣの配送依頼を行った後に、予測よりも１日あたりのトナーの使用量が多く、すなわちトナー使用速度が高く、トナー実績使用速度Ｖ２がトナー予測使用速度Ｖ１よりも大きい場合に、印刷モードをトナーセーブモードに切り替える（図９及び図１１）。これによりプリンタ２は、トナーの使用量を削減し、印刷する画像の品質をある程度低下させながらも、印刷可能な枚数を増加させることができる。
【００７６】
このためプリンタ２は、例えば最初のトナーカートリッジＣを使用中でありユーザの使い方がトナー予測残量に反映されていない場合や、トナー使用量が急激に増加した場合等、いわば予測が外れた場合にも、トナーを使用し終えてしまいダウンタイムを発生させることを回避できる。この場合、プリンタ２は、トナー実績使用速度Ｖ２及びトナー予測使用速度Ｖ１の比較結果を基にトナーセーブモードを設定するか否かを判断するため、ユーザの経験や勘等に頼らせること無く、真に必要な場合にトナーセーブモードを設定することができる。またプリンタ２は、ユーザから許可を得た場合にのみトナーセーブモードを設定するため、印刷される画像の品質を、当該ユーザの意に反して低下させることが無い。
【００７７】
またプリンタ２は、トナー交換処理において、自動的にトナーセーブモードを解除して通常モードに切り替えるようにした（図１２）。このためプリンタ２は、ユーザに煩わしい操作を行わせること無く通常モードに切り替えることで、トナー残量が十分である場合に、トナーの使用量を必要以上に抑えること無く、本来の高い品質で画像を印刷することができる。
【００７８】
以上の構成によれば、消耗品管理システム１のプリンタ２は、予め使用日数ごとのトナー予測残量を算出すると共に配送日数ＤＬを設定させ、これらを基にトナー基準残量ＲＮを決定する。その上でプリンタ２は、印刷処理を行いトナー実績残量がトナー基準残量ＲＮ未満となった時点で、管理サーバ３に配送依頼を発行し、新たなトナーカートリッジＣを発送させる。このため消耗品管理システム１では、プリンタ２に装着されているトナーカートリッジＣ内のトナーを全て使用し終える前に次のトナーカートリッジＣを配送できるので、当該トナーカートリッジＣの保管期間を必要最小限に抑えながら、ダウンタイムの発生を回避できる。
【００７９】
［５．他の実施の形態］
なお上述した実施の形態においては、トナー交換処理において消耗品使用予測表Ｔ１（図５）を更新し、算出されたトナー予測残量を用いてトナー基準残量ＲＮを決定する場合について述べた（図１０）。しかしながら本発明はこれに限らず、例えば現在のトナーカートリッジＣについて逐次更新される消耗品使用実績表Ｔ２（図６）のトナー実績残量を用いて、或いはトナー実績残量とトナー予測残量との加重平均を用いる等して、トナー基準残量ＲＮを決定しても良い。要は、トナー残量の統計値や予測値等を適宜利用することにより、配送依頼予測日ＤＱ１（図１０）におけるトナー残量であるトナー基準残量ＲＮを精度良く決定できれば良い。
【００８０】
また上述した実施の形態においては、消耗品使用予測表Ｔ１（図５）における使用日数ごとのトナー使用量を一定（例えば値「１００」ずつ）とし、図１０においてトナー予測残量特性Ｓ１を直線状とする場合について述べた。しかしながら本発明はこれに限らず、種々の算出方法に従ってトナー予測使用量を算出することにより使用日数ごとにトナー使用量を変化させても良い。この場合、トナー予測残量特性Ｓ１が曲線状や折れ線状となるものの、配送依頼予測日ＤＱ１（図１０）におけるトナー残量をトナー基準残量ＲＮとして決定すれば良い。
【００８１】
さらに上述した実施の形態においては、予め使用日数ごとのトナー予測使用量及びトナー予測残量をそれぞれ算出し、これらの値を記憶部１２の消耗品使用予測記憶部４１（図４）に設けた表形式の消耗品使用予測表Ｔ１（図５）に格納しておく場合について述べた。しかしながら本発明はこれに限らず、例えばトナー予測使用量及びトナー予測残量をそれぞれ使用日数の関数として作成しておき、これらの関数に使用日数をそれぞれ代入することで、その都度トナー予測使用量及びトナー予測残量を算出しても良い。
【００８２】
さらに上述した実施の形態においては、トナー実績使用速度Ｖ２及びトナー予測使用速度Ｖ１（図１１）の比較結果を基に、トナーセーブモードを設定するか否かを判断する場合について述べた（図９、ステップＳＰ１７）。しかしながら本発明はこれに限らず、例えばトナー実績使用速度Ｖ２を基に予測使用終了日ＤＥ２を算出し、これと到着予定日ＤＡとの比較結果等、トナー実績残量等を用いた種々の比較結果を基に、トナーセーブモードを設定するか否かを判断しても良い。
【００８３】
さらに上述した実施の形態においては、トナーカートリッジＣを管理センタＭ１から設置場所Ｌ１へ実際に配送する場合に要する日数を配送日数ＤＬとし、これを記憶部１２の配送日数記憶部４３に記憶させる場合について述べた。しかしながら本発明はこれに限らず、実際に配送に要する日数から増減させた値を配送日数ＤＬとし、これを配送日数記憶部４３に記憶させるようにしても良い。
【００８４】
例えば、実際に配送に要する日数よりも増加させた値を配送日数ＤＬとすることにより、本来よりも早く配送依頼を行うため、配送業者による配送の遅れが生じやすい場合等に、ダウンタイムの発生を確実に防止できる。或いは、実際に配送に要する日数よりも減少させた値を配送日数ＤＬとすることにより、１日あたりのトナー使用量が非常に少なく、トナー実績残量とトナー基準残量ＲＮとの比較結果を基に配送依頼を発行したのでは早すぎるような場合に、トナーカートリッジＣの配送を遅らせることができる。これらの場合、トナー予測使用量及びトナー予測残量の値については何ら変化させないため、以降の統計的な演算処理を用いたトナー予測使用量及びトナー予測残量の算出精度に悪影響を及ぼすことが無い。
【００８５】
さらに上述した実施の形態においては、消耗品使用予測表算出部３１、配送依頼部３３及びセーブモード設定判断部３４を何れもプリンタ２側に設ける場合について述べた。しかしながら本発明はこれに限らず、例えばこれらの一部または全部を管理サーバ３側に設け、当該管理サーバ３の制御部２１においてステップＳＰ１２〜ＳＰ１７における一部又は全部の処理（図９）を実行するようにしても良い。またトナーカートリッジＣは、管理サーバ３が設置されている管理センタＭ１から発送する必要は無く、例えば図示しない倉庫等から発送しても良い。
【００８６】
さらに上述した実施の形態においては、プリンタ２に１色分のトナーカートリッジＣを装着する場合について述べた。しかしながら本発明はこれに限らず、例えばプリンタ２がカラープリンタであり、ブラック、シアン、マゼンタ及びイエローといった４色（４種類）のトナーカートリッジを装着する必要がある場合に適用しても良い。この場合、トナーの色ごとに消耗品使用予測表Ｔ１（図５）及び消耗品使用実績表Ｔ２（図６）を設け、トナーの色ごとにトナー基準残量ＲＮを決定すれば良い。
【００８７】
さらに上述した実施の形態においては、プリンタ２における消耗品としてトナーカートリッジＣを配送する場合について述べた。しかしながら本発明はこれに限らず、例えばドラムカートリッジやベルトユニット等、プリンタ２における他の種々の消耗品を配送するようにしても良い。例えばベルトユニットの場合、配送依頼の発行後に予測よりも使用量が増加したときに、トナーセーブモードに代えて、例えば用紙の搬送速度を低減させた低速印刷モードに切り替えることにより、消耗度合を抑えるようにしても良い。
しても良い。
【００８８】
さらに上述した実施の形態においては、消耗品使用予測表Ｔ１（図５）等において、トナー予測使用量及びトナー予測残量等を日単位で算出する場合について述べた。しかしながら本発明はこれに限らず、例えば半日単位や時間単位、或いは週単位など、種々の期間を単位としてそれぞれの値を算出しても良い。
【００８９】
さらに上述した実施の形態においては、制御部１１の消耗品使用量算出部３２により、画像データを基にトナー使用量を算出する場合について述べた。しかしながら本発明はこれに限らず、例えばトナーカートリッジＣ内にトナー量を検出するセンサを組み込み、このセンサにより得られる値を基にトナー使用量等を算出しても良い。
【００９０】
さらに上述した実施の形態においては、初期設定処理（図８）において、消耗品使用予測表Ｔ１（図５）における各使用日数の「トナー予測使用量」欄に、事前の調査等により得られた一般的なユーザのトナー使用量として、１日あたり「１００」を初期値として設定する場合について述べた。しかしながら本発明はこれに限らず、例えば表示操作部１４を介してユーザに１日あたりの印刷枚数の目安を入力させ、入力された枚数に応じて初期値を算出してトナー予測使用量としても良い。
【００９１】
さらに上述した実施の形態においては、設置場所Ｌ１にプリンタ２が設置され、最初に電源が投入されたときに初期設定処理（図８）を行う場合について述べた。しかしながら本発明はこれに限らず、例えば管理センタＭ１において作業員等によりプリンタ２の初期設定作業を行わせ、その後当該プリンタ２を設置場所Ｌ１へ配送して設置しても良い。
【００９２】
さらに上述した実施の形態においては、プリンタ２においてトナーを用紙に定着（付着）させることにより画像を形成する場合について述べた。しかしながら本発明はこれに限らず、例えばプリンタ２においてインク等、他の種々の材料を用紙に付着させることにより画像を形成しても良い。
【００９３】
さらに本発明は、上述した実施の形態及び他の実施の形態に限定されるものではない。すなわち本発明は、上述した実施の形態と上述した他の実施の形態の一部又は全部を任意に組み合わせた実施の形態や、一部を抽出した実施の形態にもその適用範囲が及ぶものである。
【００９４】
さらに上述した実施の形態においては、画像形成部としての画像形成部１５と、記憶部としての記憶部１２と、消耗品使用度合検出部としての消耗品使用量算出部３２と、配送依頼部としての配送依頼部３３と、使用制御部としてのセーブモード設定判断部３４とによって消耗品管理システムとしての消耗品管理システム１を構成する場合について述べた。しかしながら本発明はこれに限らず、その他種々の構成でなる画像形成部と、記憶部と、消耗品使用度合検出部と、配送依頼部と、使用制御部とによって消耗品管理システムを構成しても良い。
【００９５】
さらに上述した実施の形態においては、画像形成部としての画像形成部１５と、記憶部としての記憶部１２と、消耗品使用度合検出部としての消耗品使用量算出部３２と、配送依頼部としての配送依頼部３３と、使用制御部としてのセーブモード設定判断部３４とによって画像形成装置としてのプリンタ２を構成する場合について述べた。しかしながら本発明はこれに限らず、その他種々の構成でなる画像形成部と、記憶部と、消耗品使用度合検出部と、配送依頼部と、使用制御部とによって画像形成装置を構成しても良い。
【産業上の利用可能性】
【００９６】
本発明は、例えばプリンタのユーザに交換用のトナーカートリッジを配送する消耗品管理システムで利用できる。
【符号の説明】
【００９７】
１……消耗品管理システム、２……プリンタ、３……管理サーバ、４……インターネット、１１……制御部、１２……記憶部、１５……画像形成部、１６……タグ読取部、２４……トナー配送部、３１……消耗品使用予測表算出部、３２……消耗品使用量算出部、３３……配送依頼部、３４……セーブモード設定判断部、３５……消耗品交換検出部、４１……消耗品使用予測記憶部、４２……消耗品使用実績記憶部、４３……配送日数記憶部、４４……配送状況管理部、４５……セーブモード設定記憶部、４６……タグ記憶部、Ｃ……トナーカートリッジ、Ｄ……使用日数、ＤＡ……到着予定日、ＤＥ、ＤＥ１、ＤＥ２、ＤＥ３……予測使用終了日、ＤＬ……配送日数、ＤＱ１、ＤＱ２……配送依頼予測日、Ｌ１……設置場所、Ｍ１……管理センタ、Ｒ……トナー残量、ＲＮ……トナー基準残量、Ｓ１……トナー予測残量特性、Ｓ２……トナー実績残量特性、Ｓ３……トナーセーブ残量特性、Ｔ１……消耗品使用予測表、Ｔ２……消耗品使用実績表、Ｖ１……トナー予測使用速度、Ｖ２……トナー実績使用速度、Ｖ３……トナーセーブ使用速度。
【図１】
2017037596.tif 000003
【図２】
2017037596.tif 000004
【図３】
2017037596.tif 000005
【図４】
2017037596.tif 000006
【図５】
2017037596.tif 000007
【図６】
2017037596.tif 000008
【図７】
2017037596.tif 000009
【図８】
2017037596.tif 000010
【図９】
2017037596.tif 000011
【図１０】
2017037596.tif 000012
【図１１】
2017037596.tif 000013
【図１２】
2017037596.tif 000014